(57)【要約】【課題】  設定入力中に異常が発生した際に入力操作を継続できないなどの装置の制約を小さくして操作性を向上させる。【解決手段】  画像情報に基づいて画像を形成する画像形成手段と、動作条件を表示するとともに該条件の設定及び実行入力が可能な第１の表示画面と装置の機械状態を管理する第２の表示画面と出力中及び出力予約されたジョブを管理する第３の表示画面とを各々独立した制御によって表示可能な表示手段とを備える。前記表示手段に、前記各表示画面を表示選択する指示部２００、６００、７００を並列して配置する。装置の状況などの装置による制約が小さくなり、操作の自由度が増して操作性が向上する。異常発生時にも作業を中断することなく設定操作などを継続することができ、機械の都合ではなくユーザーの意思に基づいた操作が可能となる。【選択図】  図３
2006023669.tif 000002
【特許請求の範囲】
【請求項１】
画像情報に基づいて画像を形成する画像形成手段と、動作条件を表示するとともに該条件の設定及び実行入力が可能な第１の表示画面と装置の機械状態を管理する第２の表示画面と出力中及び出力予約されたジョブを管理する第３の表示画面とを各々独立した制御によって表示可能な表示手段とを備えることを特徴とする画像形成装置。
【請求項２】
前記表示手段は、前記表示画面の表示選択が可能であることを特徴とする請求項１記載の画像形成装置。
【請求項３】
前記表示手段は、前記各表示画面を表示選択する指示部が並列して配置されていることを特徴とする請求項２記載の画像形成装置。
【請求項４】
前記表示手段は、前記表示画面の２以上を領域を区切って同時に表示可能であることを特徴とする請求項１〜３のいずれかに記載の画像形成装置。
【請求項５】
装置の異常を検知する異常検知手段を備えることを特徴とする請求項１〜４のいずれかに記載の画像形成装置。
【請求項６】
前記第１の表示画面は、新規ジョブを予約するジョブ予約手段を備えることを特徴とする請求項１〜５のいずれかに記載の画像形成装置。
【請求項７】
第１の表示画面に表示されているジョブに異常が発生した場合、第１の表示画面に異常発生通知表示を行い、第１の表示画面に表示されていないジョブに異常が発生した場合、第２の表示画面に異常発生通知表示を行うことを特徴とする請求項１〜６のいずれかに記載の画像形成装置。
【請求項８】
前記異常発生通知表示は、簡易機械図を用いた異常状態表示であることを特徴とする請求項７記載の画像形成装置。
【請求項９】
第２の表示画面に異常発生通知表示を行う際に、ＪＯＢを特定して表示することを特徴とする請求項７または８に記載の画像形成装置。
【請求項１０】
前記異常発生時に前記表示手段で第２の表示画面が表示されていない場合、前記表示手段は、第２の表示画面を表示選択する指示部に異常発生通知表示を行うことを特徴とする請求項１〜９のいずれかに記載の画像形成装置。
【請求項１１】
前記異常発生通知表示が、前記指示部の点滅表示であることを特徴とする請求項１０記載の画像形成装置。
【請求項１２】
中断中ジョブがある場合に、第２の表示画面に該ジョブの中断詳細内容を選択表示することを指示する詳細表示指示部を有することを特徴とする請求項１〜１１のいずれかに記載の画像形成装置。
【請求項１３】
少なくとも電源オン時に表示されるデフォルト画面を、第１〜第３の表示画面の中から任意に選択可能とする選択手段を有することを特徴とする請求項１〜１２のいずれかに記載の画像形成装置。
【請求項１４】
前記表示手段は、コピー及びコピー予約開始時に、第１の表示画面にコピー予約を継続する／しないの選択手段を設け、継続することが選択された場合、第１の表示画面のままとし、継続しないことが選択された場合は前記デフォルト画面へ遷移することを特徴とする請求項１３記載の画像形成装置。
【請求項１５】
原稿を読み取って画像情報を得る読み取り手段と、画像情報を記憶する記憶手段とを備えることを特徴とする請求項１〜１４のいずれかに記載の画像形成装置。
【請求項１６】
前記表示手段は、第２の表示画面で前記読み取り手段と前記画像形成手段の状態表示を独立に表示可能であることを特徴とする請求項１５記載の画像形成装置。
【請求項１７】
中断中ジョブについて、前記読み取り手段と画像形成手段とを独立して再起動可能であることを特徴とする請求項１５または１６に記載の画像形成装置。
【発明の詳細な説明】
【技術分野】
【０００１】
この発明は、原稿の読み取りなどによって得られる画像情報に基づいて画像形成を行う画像形成装置に関するものである。
【背景技術】
【０００２】
複写機、プリンタ、ファクシミリ、複合機などの画像形成装置は、画像情報に基づいて画像を形成する画像形成手段を有しており、さらに複写機、ファクシミリ、複合機などでは原稿を読み取って画像情報を得る読み取り手段を備えている。画像情報は、メモリなどの画像記憶手段に記憶される。
上記画像形成装置では、原稿を読み取る際の読み取り条件や画像形成に際しての画像形成条件などの各種動作条件の設定が可能になっており、多くの装置では表示画面上でこれら設定の入力が可能になっている。また、多くの画像形成装置では、ジョブの予約設定が可能になっており、複数ジョブの管理も表示画面上で行うことができる。また表示画面は、装置の機械状態を表示する画面としても使用される。このように、表示画面は複数の状況に応じて内容を変えて表示するように構成されており、一つの画面を複数の役割で兼用しそれぞれの状況に応じた表示がなされるように画面の表示制御がなされている。
【０００３】
例えば、ジョブ毎に設定画面を持つ画面構成とし、異常が発生した際には、設定画面上に異常画面を貼り付け設定入力を受け付けないで異常発生状況の解消を促す画面表示とする画像形成装置が知られている。
【０００４】
また、新たなジョブの設定操作中、動作している別のジョブに障害が発生した場合、一定時間だけ異常発生を表示して設定の継続を可能にし、設定完了後に再度異常発生を表示する画像形成装置が提案されている（特許文献１参照）。
【特許文献１】特開平１０−２１４１６８号公報
【発明の開示】
【発明が解決しようとする課題】
【０００５】
しかし、前者の画像形成装置では、異常が発生した際に設定入力が受け付けられなくなるので、次ジョブの予約や異常発生箇所と関わりなく動作する機能の実行ができないなどの制約があり、操作者の事情に拘わらず作業を中断せざるを得ないという問題がある。
例えば、１つのジョブを大量に印刷し、かつ次ジョブの読取りを連続的に実施するプロダクション向け印刷装置において、紙づまり等の出力系の異常が発生した場合、関係のないジョブの操作（次ジヨブ設定や読取り指示）を中断しなければならなくなる。
また、後者の画像形成装置では、設定操作中に他のジョブで異常が発生しても設定操作を継続することができるという利点がある。しかし、装置によって予め定めた作業時間が許容されるだけであり、装置事情に制約を受けざるを得ないという問題がある。また、異常が発生した際に作業をしていた設定操作が完了した後は、異常発生表示状態になるため、新たな設定操作等が困難であるという問題がある。
【０００６】
本発明は上記事情を背景としてなされたものであり、装置側の事情による制約を極力小さくして、操作者の意思に従って操作をできるだけ自由に行うことができる画像形成装置を提供することを目的とする。
【課題を解決するための手段】
【０００７】
すなわち本発明の画像形成装置のうち、第１の発明は、画像情報に基づいて画像を形成する画像形成手段と、動作条件を表示するとともに該条件の設定及び実行入力が可能な第１の表示画面と装置の機械状態を管理する第２の表示画面と出力中及び出力予約されたジョブを管理する第３の表示画面とを各々独立した制御によって表示可能な表示手段とを備えることを特徴とする。
【０００８】
第２の発明の画像形成装置は、第１の発明において、前記表示手段は、前記各表示画面の表示選択が可能であることを特徴とする。
【０００９】
第３の発明の画像形成装置は、第２の発明において、前記表示手段は、前記各表示画面を表示選択する指示部が並列して配置されていることを特徴とする。
【００１０】
第４の発明の画像形成装置は、第１〜第３の発明のいずれかにおいて、前記表示手段は、前記表示画面の２以上を領域を区切って同時に表示可能であることを特徴とする。
【００１１】
第５の発明の画像形成装置は、第１〜第４の発明において、装置の異常を検知する異常検知手段を備えることを特徴とする。
【００１２】
第６の発明の画像形成装置は、第１〜第５の発明において、前記第１の表示画面は、新規ジョブを予約するジョブ予約手段を備えることを特徴とする。
【００１３】
第７の発明の画像形成装置は、第１〜第６の発明のいずれかにおいて、第１の表示画面に表示されているジョブに異常が発生した場合、第１の表示画面に異常発生通知表示を行い、第１の表示画面に表示されていないジョブに異常が発生した場合、第２の表示画面に異常発生通知表示を行うことを特徴とする。
【００１４】
第８の発明の画像形成装置は、第７の発明において、前記異常発生通知表示は、簡易機械図を用いた異常状態表示であることを特徴とする。
【００１５】
第９の発明の画像形成装置は、第７または第８の発明において、第２の表示画面に異常発生通知表示を行う際に、ＪＯＢを特定して表示することを特徴とする。
【００１６】
第１０の発明の画像形成装置は、第１〜第９の発明のいずれかにおいて、前記異常発生時に前記表示手段に第２の表示画面が表示されていない場合、前記表示手段は、第２の表示画面を表示選択する指示部に異常発生通知表示を行うことを特徴とする。
【００１７】
第１１の発明の画像形成装置は、第１０の発明において、前記異常発生通知表示が、前記指示部の点滅表示であることを特徴とする。
【００１８】
第１２の発明の画像形成装置は、第１〜第１１の発明において、中断中ジョブがある場合に、第２の表示画面に該ジョブの中断詳細内容を選択表示することを指示する詳細表示指示部を有することを特徴とする。
【００１９】
第１３の発明の画像形成装置は、第１〜第１２の発明のいずれかにおいて、少なくとも電源オン時に表示されるデフォルト画面を、第１〜第３の表示画面の中から任意に選択可能とする選択手段を有することを特徴とする。
【００２０】
第１４の発明の画像形成装置は、第１３の発明において、前記表示手段は、コピー及びコピー予約開始時に、第１の表示画面にコピー予約を継続する／しないの選択手段を設け、継続することが選択された場合、第１の表示画面のままとし、継続しないことが選択された場合は前記デフォルト画面へ遷移することを特徴とする。
【００２１】
第１５の発明の画像形成装置は、第１〜第１４の発明のいずれかにおいて、原稿を読み取って画像情報を得る読み取り手段と、画像情報を記憶する記憶手段とを備えることを特徴とする。
【００２２】
第１６の発明の画像形成装置は、第１５の発明において、前記表示手段は、第２の表示画面で前記読み取り手段と前記画像形成手段の状態表示を独立に表示可能であることを特徴とする。
【００２３】
第１７の発明の画像形成装置は、第１５または第１６の発明において、中断中ジョブについて、前記読み取り手段と画像形成手段とを独立して再起動可能であることを特徴とする。
【００２４】
すなわち本発明によれば、動作条件を表示するとともに該条件の設定及び実行入力が可能な第１の表示画面と、装置の機械状態を管理する第２の表示画面と出力中および出力予約されたジョブを管理する第３の表示画面とが各々独立した制御によって表示手段で表示可能とされ、装置の状況や他の表示画面にできるだけ制約されずに上記表示画面での表示や設定入力を行うことが可能になる。そして第１の表示画面では、通常は、新規ジョブを予約するジョブ予約手段を備えるので、上記動作によれば、例えば動作出力ジョブに異常が発生した場合でも、次ジョブの設定や読取り開始指示等に影響なく操作を行うことが可能になる。又操作者の意思により、次ジョブ操作と異常解除のどちらを先に実施するかも自由に実施することが可能になる。
【００２５】
前記表示画面は、各表示画面において、表示選択を行う指示部を優先的に表示しておくことで、いつでも表示を選択して設定入力や所望の情報の表示を行うことができる。
電源オン時などに前記表示手段で表示する画面は、上記した第１〜第３の表示画面のいずれかとすることができ、予めどの表示画面をデフォルトとするかを設定する設定手段を設けることができる。
デフォルト画面を設定することで、例えば１人で大量印刷を実施し機械の状態を管理する作業を行うプロダクションユーザーと、少ない部数を多人数で印刷するオフィスユーザーとが、作業形態に合わせて最適なデフォルト画面を選択できユーザーの使い勝手を向上させることができ、機械の使われ方に合わせてユーザーの操作性を向上させることができる。デフォルト画面が表示される状況としては、上記した電源オン時の他、パワーセーブ（省電力）復帰時、オートリセットタイマー時（ジョブ無し限定）、リセットボタン押下げ時などが挙げられる。
【００２６】
また、本願発明の画像形成装置では、通常、異常検知手段を備えている。該異常検知手段は、装置の適所に配置されたセンサ等と装置全体を制御する制御ＣＰＵとによって構成することができる。制御ＣＰＵでは、検知した異常に基づいて予め定めた処理を行う。例えば表示部を制御して異常が発生したことを通知する異常発生通知表示を行ったり、所定の動作を禁止する処理などを行う。
【発明の効果】
【００２７】
以上説明したように、本発明の画像形成装置によれば、画像情報に基づいて画像を形成する画像形成手段と、画像形成条件を表示するとともに該条件の設定及び実行入力が可能な第１の表示画面と装置の機械状態を管理する第２の表示画面と出力中および出力予約されたジョブを管理する第３の表示画面とを各々独立した制御によって表示可能な表示手段とを備えるので、装置の状況、表示されている画面などによる制約が小さくなり、操作の自由度が増して操作性が向上する。また、異常発生時に作業を中断することなく設定操作などを継続することができ、機械の都合ではなくユーザーの意思に基づいた操作（異常解除をするか設定を継続するか等）が可能となり作業効率が向上する。
【発明を実施するための最良の形態】
【００２８】
以下に、本発明の一実施形態を添付図面に基づいて説明する。
画像形成装置１は、その上部側に、ＣＣＤ１３１を含むスキャナ部１３０、自動原稿給紙装置（ＡＤＦ）１３３、原稿がセットされるプラテンガラス１３４、ＡＤＦ原稿読み取り用スリットガラス１３５が設けられており、これらによって原稿読み取り手段が構成されており、さらに、プラテンガラス１３４に近接して操作部１４０が設けられている。
【００２９】
また、画像形成装置１の下部側には、給紙トレイ１５３が配置され、さらに画像形成装置１に付設するようにして大容量給紙トレイ１５４が配置されている。これら給紙トレイの搬送先には第２給紙ローラ１５５が配置され、その搬送方向下流場所にＬＤ１５１等からなる画像形成部が設けられている。上記画像形成部、第１〜第３給紙トレイ１５３、大容量給紙トレイ１５４、第２給紙ローラ１５５などによってプリンタ部１５０が構成されている。画像形成部の下流側には、排紙域に後処理装置（ＦＮＳ）１５６が設置されており、画像形成がなされた転写紙に所望の後処理（ステープル、パンチなど）を行えるようになっている。上記画像形成部は、感光体１５１ａ、帯電器１５１ｂ、現像器１５１ｃ、定着器１５１ｄなどによって構成されている。
【００３０】
上記画像形成装置１はデジタル複合機からなり、図２に示すように、ＬＡＮ５０に接続されている。図では、ＬＡＮ５０に端末３が接続されている。
また図２は、画像形成装置１を機能面からブロック図として示しており、その内容を以下に詳細に説明する。
すなわち画像形成装置１は、図２のブロック図に示すように、主要な構成として画像装置制御部１１０とスキャナ部１３０と操作部１４０とプリンタ部１５０とを有するデジタルコピア部１００と、ＬＡＮ５０を通して外部との間で入出力される画像データを処理する画像処理手段（プリント＆スキャナコントローラ）１６０とを備えている。
【００３１】
前記デジタルコピア部１００の画像装置制御部１１０には、ＬＡＮ５０等に接続されるＬＡＮインターフェース１１２を有しており、該ＬＡＮインターフェース１１２は、画像形成装置１００の内部側ではＰＣＩバス１０２に接続され、ＰＣＩバス１０２は画像形成装置制御部１１０のＤＲＡＭ制御ＩＣ１１１に接続されている。また、画像装置制御部１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリ１１５が接続されている。該不揮発メモリ１１５には、上記制御ＣＰＵ１１３を動作させるためのプログラムや画像形成装置１００の設定データ、プロセス制御パラメータ等のデータが格納されている。さらにＪＯＢ情報に関する管理データを格納することもできる。したがって複数のジョブ（実行中や予約中のものなど）を上記制御ＣＰＵ１１３と不揮発メモリ１１５とによって管理することができる。
【００３２】
制御ＣＰＵ１１３は、不揮発メモリ１１５の不揮発データを読み取り可能であり、また、所望のデータを不揮発データとして該不揮発メモリ１１５に書き込むことが可能である。さらに制御ＣＰＵ１１３は、上記ＬＡＮインターフェース１１２を通して他の画像形成装置等との通信が可能であり、他の画像形成装置等との間で画像データの送受信と画像処理指令の送受信を行うことができる。  なお、画像形成装置１では、図示しないが、適宜箇所に異常を検知するセンサ等が配置されており、その検知結果は、制御ＣＰＵ１１３に送出されている。すなわち、図示しないセンサ等と制御ＣＰＵ１１３とによって本願発明の異常検知手段が構成されている。異常検知手段では、出力中などにセンサ等で検知された異常（使用転写紙が無くなった時、紙づまりを発生した時、トナー残量が不足した時など）が、通信により制御部１１０へ送られ、制御ＣＰＵ１１３により異常情報と判断され、操作部制御部１４２へ異常発生通知表示を要求する。
【００３３】
また、前記スキャナ部１３０は、光学読み取りを行うＣＣＤ１３１と、スキャナ部１３０全体の制御を行うスキャナ制御部１３２とを備えている。スキャナ制御部１３２は、前記制御ＣＰＵ１１３とシリアル通信可能に接続されている。また、前記ＣＣＤ１３１は、該ＣＣＤ１３１で読み取った画像データを処理する読み取り処理部１１６に接続され、該読み取り処理部１１６には画像データを圧縮処理する圧縮ＩＣ１１８が接続され、該圧縮ＩＣ１１８は前記したＤＲＡＭ制御ＩＣ１１１に接続されている。上記スキャナ部１３０と読み取り処理部１１６と圧縮ＩＣ１１８とによって画像読み取り手段が構成される。
【００３４】
前記操作部１４０は、タッチパネル１４１と、操作部制御部１４２とを備えており、上記タッチパネル１４１と操作部制御部１４２とが接続され、該操作部制御部１４２と前記制御ＣＰＵ１１３とが接続されている。該構成によって制御部１４０の制御が制御ＣＰＵ１１３によって行われる。操作部１４０では、画像形成装置における設定や動作指令などの動作制御条件の入力や設定内容、機械状態の表示等が可能になっており、上記制御ＣＰＵ１１３で制御される。したがって、制御ＣＰＵ１１３と操作部１４０とは、協働して本願発明の表示手段として機能する。
【００３５】
また、ＤＲＡＭ制御ＩＣ１１１は、圧縮メモリ１２１とページメモリ１２２とからなる画像メモリ１２０に接続されている。該画像メモリ１２０には、前記読み取り手段で取得した画像データやＬＡＮ５０を通して取得した画像データが格納される。したがって、画像メモリ１２０は、本願発明における記憶手段として機能する。また、複数のジョブに関する画像データも画像メモリ１２０に記憶して、上記制御ＣＰＵ１１３と不揮発メモリ１１５とによって管理することができる。したがって、画像メモリ１２０には予約されたジョブの画像データの格納も可能である。また、前記ＰＣＩバス１０２には、ＨＤＤ１２３が接続されており、画像データ等のデータを不揮発に格納することができる。したがってＨＤＤ１２３は、本願発明における記憶手段としても機能する。
【００３６】
さらにＤＲＡＭ制御ＩＣ１１１には、圧縮された画像データを伸張する伸張ＩＣ１２５が接続されており、該伸張ＩＣ１２５には書き込み処理部１２６が接続されている。該書き込み処理部１２６は、プリンタ部１５０のＬＤ（レーザダイオード）１５１に接続され、該ＬＤ１５１の動作に用いられるデータの処理を行う。また、プリンタ部１５０は、プリンタ部１５０の全体を制御するプリンタ制御部１５２を備えており、プリンタ制御部１５２は、前記した制御ＣＰＵ１１３に接続されている。そして上記伸長ＩＣ１２５、書き込み処理部１２６、プリンタ部１５０は、本願発明の画像形成手段を構成している。
【００３７】
また、前記ＤＲＡＭ制御ＩＣ１１１に接続された前記ＰＣＩバス１０２には、前記した画像処理制御部１６０のＤＲＡＭ制御ＩＣ１６１が接続されている。画像処理制御部１６０では、ＤＲＡＭ制御ＩＣ１６１に画像メモリ１６２が接続されている。また、画像処理制御部１６０では、共通バスに前記ＤＲＡＭ制御ＩＣ１６１と、コントローラー制御ＣＰＵ１６３、ＨＤＤ１６４、ＬＡＮインターフェース１６５が接続されている。ＬＡＮインターフェース１６５は、前記ＬＡＮ５０に接続されている。
【００３８】
次に、上記画像形成装置１の基本的動作について説明する。
先ず、画像形成装置１において画像データを蓄積する手順について説明する。
第１に画像形成装置１において、スキャナ部１３０で原稿の画像を読み取り画像データを生成する場合について説明する。スキャナ部１３０において原稿からＣＣＤ１３１により原稿の画像を光学的に読み取る。この際には、画像装置制御ＣＰＵ１１３から指令を受けるスキャナ制御部１３２によってＣＣＤ１３１の動作制御を行う。
【００３９】
制御ＣＰＵ１１３はプログラムによって動作し、操作部１４０による操作や端末装置３における操作に基づいてスキャナ部１３０への指令を発行する。ＣＣＤ１３１で読み取られた画像は、読み取り処理部１１６でデータ処理がなされ、データ処理された画像データは、圧縮ＩＣ１１８において所定の方法によって圧縮され、ＤＲＡＭ制御ＩＣ１１１を介して圧縮メモリ１２１に格納される。
【００４０】
また画像データは、外部から取得することもできる。例えば、ＬＡＮ５０からＤＲＡＭ制御ＩＣ１６１を介して画像メモリ１６２に格納される。上記画像データは、例えば端末装置３においてアプリケーションプログラム等により生成されたり、インターネットを介してメールとして送信されたりする。該データは、ＬＡＮインターフェース１６５を介して画像形成装置１の画像処理制御部１６０で受信され、ＤＲＡＭ制御ＩＣ１６１によって画像メモリ１６２に格納される。上記画像メモリ１６２のデータは、ＤＲＡＭ制御ＩＣ１６１、ＰＣＩバス１０２、ＤＲＡＭ制御ＩＣ１１１を介してページメモリ１２２に一旦格納される。ページメモリ１２２に格納されたデータは、ＤＲＡＭ制御ＩＣ１１１を介して圧縮ＩＣ１１８に順次送られて圧縮処理され、ＤＲＡＭ制御ＩＣ１１１を介して圧縮メモリ１２１に格納される。
【００４１】
そして、画像形成装置１をスキャナとして用い、画像データを外部に送出する場合は、前記したようにスキャナ部１３０を利用して得た画像データを圧縮メモリ１２１からＤＲＡＭ制御ＩＣ１１１を介して伸張ＩＣ１２５に送出してデータを伸張し、ＤＲＡＭ制御ＩＣ１１１を介してページメモリ１２２に送出し、格納する。ページメモリ１２２に格納されたデータは、ＤＲＡＭ制御ＩＣ１１１、ＰＣＩバス１０１、画像処理制御部１６０のＤＲＡＭ制御ＩＣ１６１を介して画像処理制御部１６０の画像メモリ１６２に格納される。
画像メモリ１６２に格納された画像データは、ＬＡＮインターフェース１６５、ＬＡＮ５０を介して端末装置３に送信したり他の機器等に送信したりすることができる。また、画像データを不揮発的にＨＤＤ１６４に格納しておき、必要に応じて外部に画像データを送出することもできる。
また、上記圧縮メモリ１２１に格納された画像データは、ＤＲＡＭ制御ＩＣ１１１、ＬＡＮインターフェース１１２、ＬＡＮ５０を介して他の画像形成装置２等に送信することもできる。
【００４２】
また、画像形成装置１で画像出力を行う場合、すなわち複写機やプリンタとして使用する場合、前記のようにして圧縮メモリ１２１に画像データを格納した後に、画像データを圧縮メモリ１２１からＤＲＡＭ制御ＩＣ１１１を介して伸張ＩＣ１２５に送出してデータを伸張し、伸張したデータを書き込み処理部１２６に送出し、ＬＤ１５１において感光体への書き込みを行う。また、プリンタ部１５０では、画像装置制御部１１３の指令を受けてプリンタ制御部１５２によって各部の制御が行われ所定の転写紙（図示しない）への印刷が行われる。
また、コピー出力時には、次にコピーするモード設定を行い原稿を上記画像読取り手段によって圧縮メモリ１２１内に格納する。格納された画像は、出力中のジョブ終了後に上記画像形成手段により出力が行われる。
【００４３】
次に、上記画像形成装置１で、タッチパネル１４１に表示される表示画面について説明する。
図３に示されるコピー画面２１０は、本発明の第１の表示画面に相当する画面であり、画面の上部に位置するコピーキー２００に対応している。画面の上部には、該コピーキー２００、スキャナーキー３００、保存キー４００、読み出しキー５００、ＪＯＢ管理キー６００、機械状態キー７００が並列して表示されており、該キーの押し下げによって関連する表示画面に遷移するように構成されている。なお、これらのキーの動作はそれぞれ独立して制御可能になっており、表示されている表示画面に拘わらず、各キーを選択してそれぞれのキーに関連する表示画面を表示させて動作させることが可能である。また、現表示画面によっては上記キーの選択を不可とする場合があっても、現表示画面を閉じることを可能にし、その後、各指示部の選択が可能になる。
なお、前記機械状態キー７００は本願発明の第２の表示画面に関連付けられ、ＪＯＢ管理キー６００は、本願発明の第３の表示画面に関連付けられており、これらのキーは各表示画面を表示選択する指示部に相当する。
【００４４】
第１の表示画面は、コピー画面であり、各種の動作条件の設定入力が可能になっている。例えば、原稿設定、画質設定、倍率設定、応用設定、出力設定、両面設定、用紙予約設定などの入力を行うことができる。メッセージ欄２１１には、コピー予約が可能であることが表示されている。メッセージ欄２１１の下方には、予約ＪＯＢ数欄２１２が設けられており、この図では、ＪＯＢが既に５ジョブ登録されていることが示されている。そして、この画面では、入力を終了することで設定情報が不揮発メモリ１１５に記憶管理されてジョブ予約がされる。すなわち、この画面は本願発明のジョブ予約手段としても機能する。
【００４５】
上記第１の表示画面では、原稿読込キー２１３を押すことで読み取り動作が実行される。該動作では、読み取り手段によって自動原稿給紙装置（ＡＤＦ）１２３にセットされた原稿やプラテンガラス１２４に載置された原稿の読み取りがなされる。
読み込み動作開始と同時に図４に示す設定内容表示画面２２０を表示する。該設定内容表示画面２２０は、本願発明の第１の表示画面に含まれるものである。また、この画面においても画面の上部に各表示画面を選択可能とするコピーキー２００、スキャナーキー３００、保存キー４００、読み出しキー５００、ＪＯＢ管理キー６００、機械状態キー７００が並列して表示されている。なお、設定内容表示画面２２０では、後述するデフォルト画面に依って表示内容が相違している。すなわち、デフォルト画面設定が前記したコピー画面の場合、設定内容表示画面２２０にＪＯＢ進行状況画面２３０を重ねて表示している（図４（ａ））。該画面は、消去が可能になる閉じるキー２３１を有しており、操作者は所望により、該閉じるキー２３１を押してＪＯＢ進行状況画面２３０を消去して新規ＪＯＢの予約が可能なコピー画面２１０が表示される。なお、上記閉じるキー２３１の操作が無い場合は、設定内容表示画面２３０で表示されているＪＯＢの出力完了に従って画面を閉じてコピー画面に遷移する。
【００４６】
一方、デフォルト画面設定が前記コピー画面以外では、設定内容表示画面２２０にコピー予約を継続するかしないかを選択可能な選択表示画面２４０を重ねて表示する（図４（ｂ））。該選択表示画面２４０も本願発明の第１の表示画面に含まれ、コピー予約を継続する／しないの選択手段として機能する。選択表示画面２４０には予約を継続することに関し、ＹＥＳキー２４１とＮＯキー２４２とを有しており、継続ＹＥＳキー２４１が押されると選択表示画面２４０が消去されてコピー画面２１０に遷移する。一方、継続ＮＯキー２４２が押されるとデフォルト画面に遷移する。キー操作がない場合は、設定内容表示画面２２０で表示されているＪＯＢの出力完了に従って画面を閉じてデフォルト画面に遷移する。
【００４７】
次に、図５は、複数のＪＯＢの状態を表示して管理するＪＯＢ管理画面６１０を表示するものであり、本願発明の第３の表示画面に相当する。該表示画面においても、画面の上部に各表示画面を選択可能とするコピーキー２００、スキャナーキー３００、保存キー４００、読み出しキー５００、ＪＯＢ管理キー６００、機械状態キー７００が並列して表示されており、各キーに対応する表示画面について独立して制御がなされている。該ＪＯＢ管理画面６１０では、動作中ＪＯＢも含めたＪＯＢリスト表示が可能になっており、さらに動作中ＪＯＢの停止、予約ＪＯＢの出力並び替え、保留指示、予約ＪＯＢの削除などが可能になっている。
【００４８】
次に、図６は、機械状態画面７１０を示すものであり、本願発明の第２の表示画面に相当する。この表示画面においても画面の上部に各表示画面を選択可能とするコピーキー２００、スキャナーキー３００、保存キー４００、読み出しキー５００、ＪＯＢ管理キー６００、機械状態キー７００が並列して表示されており、各キーに対応する表示画面について独立して制御がなされている。
該機械状態画面７１０では、ＪＯＢに依存しない状態の表示（例えばカセット、針無し、パンチ屑、裁断屑、トナー）や、異常発生表示、異常解除表示、異常解除後のリカバリースタート、動作中ＪＯＢのキャンセル、簡易機械図を用いた異常状態表示、スキャナ、プリンタ別状態表示が可能になっている。
【００４９】
図中７１１は、読み取り手段に相当するスキャナの状態表示欄であり、７１２は画像形成手段に相当するプリンタの状態表示欄であり、それぞれ独立して表示可能となっている。なお、該機械状態画面７１０で中断ジョブが認識されている際に、スキャナとプリンタとで独立してリカバリ（再起動）することができる。例えば、スキャナとプリンタとで異なるＪＯＢを実行している場合や同一のＪＯＢを実行している際などに、リカバリ対象を特定して独立してリカバリすることで、操作や作業を円滑に行うことができる。
【００５０】
なお、各画面で表示される保存キー４００を押すことで既に画像メモリ１２０に格納されている画像データがある場合には、ＨＤＤ１２３やＨＤＤ１６４に格納することができる。また読み出しキー５００を押すことでＨＤＤ１２３やＨＤＤ１６４に格納されている画像データを読み出して出力指示をしたり、予約ジョブとして登録することができる。
【００５１】
次に、図７は、デフォルト時に選択される表示画面を設定するデフォルト画面設定画面８００を表示するものであり、デフォルト画面を選択する選択手段を構成している。
該画面は、サービスマンなどにより各種キーの組合せなどの特定された操作によって表示させることができる。
該設定画面８００では、コピー画面キー８０１、ジョブ管理画面キー８０２、機械状態画面キー８０３が選択可能に表示されており、いずれかのキーを押すことで、デフォルト時に表示される画面をコピー画面２１０、ジョブ管理画面６１０、機械状態画面７１０の中から選定することができる。これにより操作者の使用方法などで最適なデフォルト画面が表示されるようにして操作性を高めることができる。
【００５２】
次に、ＪＯＢの設定入力中などに異常が発生した場合の表示画面制御について説明する。
コピー画面や設定内容表示画面の状態で異常が発生した場合の処理手順を図８のフローチャートに基づいて説明する。
【００５３】
先ず、異常発生があったかどうかが判定される（ステップｓ１）。該判定は、前記した異常検知手段に基づいて行うことができる。異常発生が認められない場合には異常処理は待機される。一方、異常発生が認められる場合、異常発生ＪＯＢが現在表示されているＪＯＢに係るものであるか否かの判定がなされる（ステップｓ２）。ここで、異常発生ＪＯＢが現在表示されているＪＯＢである場合、この例では設定内容表示画面の状態であり、設定内容表示画面に異常発生画面を表示するとする（ステップｓ３）。図９は、設定内容表示画面２２０で表示ＪＯＢに異常が発生した場合に、異常発生画面７５０を領域を区分けして重ねて表示したものである。該異常発生画面７５０は、簡易機械図を用いた異常状態表示によって行われている。該異常発生画面７５０が表示されている画面では、指示部であるコピーキー２００、スキャナーキー３００、保存キー４００、読み出しキー５００、ＪＯＢ管理キー６００、機械状態キー７００のキーを選択して押し下げることで異常解除が可能であり、例えばコピーキー２００を押し下げてコピー画面２１０に遷移することができる。他の表示画面に遷移されて異常発生画面７５０が表示されていない状態では、機械状態キー７００を赤色などの目立つ色で点滅させて異常発生通知表示を行う。
【００５４】
一方、前記ステップｓ２で異常発生ＪＯＢが現在表示されているＪＯＢと異なるものであると判定がなされた場合、ここでは、コピー画面で新規ＪＯＢの予約設定がなされていた状態であるとすると、図１０に示すようにコピー画面２１０には異常発生画面は表示せず、機械状態キー７００を赤色などの目立つ色で点滅させて異常発生通知表示を行う。操作者はそのままＪＯＢの設定を続行することもできる。また、異常発生の内容を確認したい場合、機械状態キー７００を押し下げると、機械状態画面７１０を表示するとともに異常発生画面７６０を表示する。また、ステップｓ２の判定時に機械状態画面７１０が表示されていた場合には、図１１に示すように、該画面７１０に上記と同様に異常発生画面７６０を表示する。該機械状態画面７１０では、各表示画面と同様に画面の上部に各表示画面を選択可能とするコピーキー２００、スキャナーキー３００、保存キー４００、読み出しキー５００、ＪＯＢ管理キー６００、機械状態キー７００が並列して表示されており、各キーを選択して各キーに対応した表示画面を表示させることができる。なお、図１１に示すように、異常表示画面７６０には、簡易機械図を用いた異常状態表示によって行われている。該異常表示画面７６０には閉じるキー７６１が設けられており、該キー７６１を押し下げると異常表示画面７６０が閉じられて機械状態表示画面７１０が表示される。機械状態表示画面７１０には、中断しているジョブの中断詳細内容が表示されている。すなわち、前記した閉じるきー７６１は、本発明の詳細表示指示部に相当する。また機械状態表示画面７１０に確認キー７１５が設けられており、該確認キーを押し下げると再度上記異常表示画面７６０が表示される。すなわち、機械状態画面では、詳細表示と簡易表示とを任意に選択することができる。
異常が解除された場合には、異常表示画面７５０、７６０は閉じられてそれぞれの元画面が表示され、設定入力等を継続することができる。
【００５５】
以上本発明を上記実施形態に基づいて説明したが、本発明は上記説明に限定されるものではなく、本発明の範囲を逸脱しない限りにおいて変更が可能である。
【図面の簡単な説明】
【００５６】
【図１】本発明の一実施形態の画像形成装置の機械的構造を示す概略図である。
【図２】同じく、同じく機能上のブロック図を含むネットワーク接続図である。
【図３】同じく、第１の表示画面（コピー画面）を示す図である。
【図４】同じく、第１の表示画面（設定内容表示画面）を示す図である。
【図５】同じく、第３の表示画面（ＪＯＢ管理画面）を示す図である。
【図６】同じく、第２の表示画面（機械状態画面）を示す図である。
【図７】同じく、デフォルト画面設定画面を示す図である。
【図８】同じく、異常発生時の処理手順を示すフローチャートである。
【図９】同じく、設定内容表示画面が表示されている際に異常が発生した場合の画面遷移を示す図である。
【図１０】同じく、コピー画面が表示されている際に異常が発生した場合の画面遷移を示す図である。
【図１１】同じく、機械状態表示画面で異常表示を行う際の簡易表示と詳細表示を示す図である。
【符号の説明】
【００５７】
１  画像形成装置
５０  ネットワーク
１００  画像装置制御部
１１２  ＬＡＮインターフェース
１１３  制御ＣＰＵ
１１５  不揮発メモリ
１２０  画像メモリ
１２３  ＨＤＤ
１２５  伸長ＩＣ
１２６  書き込み処理部
１３０  スキャナ部
１４０  操作部
１４１  タッチパネル
１５０  プリンタ部
１６０  画像処理手段
１６４  ＨＤＤ
１６５  ＬＡＮインターフェース
２００  コピーキー
２１０  コピー画面
２２０  設定内容表示画面
３００  スキャナーキー
４００  保存キー
５００  読み出しキー
６００  ＪＯＢ管理キー
６１０  ＪＯＢ管理画面
７００  機械状態キー
７１０  機械状態画面
７５０  異常発生画面
７６０  異常発生画面
【図１】
2006023669.tif 000003
【図２】
2006023669.tif 000004
【図３】
2006023669.tif 000005
【図４】
2006023669.tif 000006
【図５】
2006023669.tif 000007
【図６】
2006023669.tif 000008
【図７】
2006023669.tif 000009
【図８】
2006023669.tif 000010
【図９】
2006023669.tif 000011
【図１０】
2006023669.tif 000012
【図１１】
2006023669.tif 000013